(57)【要約】【課題】屋根勾配の違いに対応できると共に、構成部品点数が少なく、しかも屋根の軒先に特別な部材を設けることなしに軒先部分の見栄えを良くできる雨樋付き屋根とする。【解決手段】屋根１の軒先１ａにベース部材２０を取付けて当該軒先１ａの長手方向全長をベース部材２０で覆い、このベース部材２０の長手方向全長に軒樋部材３０を上下方向に回転可能に設けて雨樋２とした雨樋付き屋根で、軒樋部材３０を屋根勾配に応じて回転することで屋根勾配の違いに対応でき、ベース部材２０と軒樋部材３０で雨樋２としたから構成部品点数が少なく、ベース部材２０で屋根１の軒先１ａを覆ったから特別な部材を設けることなしに軒先部分の見栄えを良くできる。【選択図】図３
2008138373.tif 000002
【特許請求の範囲】
【請求項１】
屋根の軒先にベース部材を取付け、このベース部材に軒樋部材を上下方向に回動可能に取付けて雨樋とし、
前記ベース部材又は軒樋部材で屋根の軒先を覆うようにし、
前記ベース部材は上支持部と下支持部を有し、前記軒樋部材は上取付部と下取付部を有し、
前記上支持部と上取付部は、相互に回転自在に嵌まり合うと共に、所定の位置まで回転すると着脱自在な形状で、
前記下取付部を下支持部に固着具で固着するようにしたことを特徴とする雨樋付き屋根。
【請求項２】
軒樋部材は軒板支持部を備え、該軒板支持部で屋根の下方に設けられた軒板を支持するようにし、前記軒板支持部は、下取付部を下支持部に固着する固着具よりも屋根寄りに位置するようにした請求項１記載の雨樋付き屋根。
【請求項３】
ベース部材の上支持部よりも上方位置に止水部材を設け、この止水部材は、上支持部と上取付部の嵌まり合い部分を覆うと共に、軒樋部材まで垂下して屋根から流れ落ちた雨水等が当該止水部材に沿って軒樋部材の雨水受け部まで流れるようにしたした請求項１又は２記載の雨樋付き屋根。
【請求項４】
屋根は、屋根下地に屋根材を取付けたものとし、
この屋根下地の軒先部にベース部材を取付けて、屋根下地の軒先部をベース部材で覆うようにした請求項１〜３いずれか１項に記載の雨樋付き屋根。
【発明の詳細な説明】
【技術分野】
【０００１】
本発明は、一般住宅や集合住宅などの建物に用いる雨樋付き屋根に関する。
【背景技術】
【０００２】
従来から屋根の軒先に軒樋を取付けた雨樋付き屋根が知られている。
例えば、特許文献１に開示されたように、屋根の軒先構成部材に取付ベースを取付け、この取付けベースに支持アームを回動可能に取付け、その支持アームに軒樋を取付けた雨樋付き屋根が知られている。
【０００３】
【特許文献１】実公平４−８２２３０号公報
【発明の開示】
【発明が解決しようとする課題】
【０００４】
前述した従来の雨樋付き屋根は、支持アームを取付ベースに対して回動できるから、軒先構成部材の勾配、つまり屋根勾配に応じて支持アームを回動することで軒樋を水平に取付けできる。要するに、屋根勾配の違いに対応できる。
しかし、前述した従来の雨樋付き屋根は、取付けベースと支持アームと軒樋の３種類の部材を備えていると共に、その取付ベース、支持アームは短尺で、複数の取付ベースを軒先構部材の長手方向に間隔を置いて取付けるので、取付けベース、支持アームをそれぞれ複数用いている。
このために、軒樋を取付けるために多数の部材が必要で、構成部品点数が多く、施工に時間がかかると共に、コストが高い。
【０００５】
しかも、取付ベース、支持アームが短尺で、複数の支持アームに亘って軒樋を取付けるので、人が屋根を目視した際に屋根の軒先構成部材が見える。
このために、従来の雨樋付き屋根においては、軒先構成部材を外観意匠の優れたものとして屋根の軒先部分の見栄えを良くしなければならず、コストが高いものとなる。
【０００６】
本発明の目的は、屋根勾配の違いに対応できると共に、構成部品点数が少なく、しかも屋根の軒先に、特別な部材を設けることなしに軒先部分の見栄えを良くできるようにした雨樋付き屋根を提供することである。
【課題を解決するための手段】
【０００７】
本発明は、屋根の軒先にベース部材を取付け、このベース部材に軒樋部材を上下方向に回動可能に取付けて雨樋とし、
前記ベース部材又は軒樋部材で屋根の軒先を覆うようにし、
前記ベース部材は上支持部と下支持部を有し、前記軒樋部材は上取付部と下取付部を有し、
前記上支持部と上取付部は、相互に回転自在に嵌まり合うと共に、所定の位置まで回転すると着脱自在な形状で、
前記下取付部を下支持部に固着具で固着するようにしたことを特徴とする雨樋付き屋根ある。
【０００８】
本発明においては、軒樋部材は軒板支持部を備え、該軒板支持部で屋根の下方に設けられた軒板を支持するようにし、前記軒板支持部は、下取付部を下支持部に固着する固着具よりも屋根寄りに位置するようできる。
このようにすれば、軒板を軒樋部材で支持できるし、その軒板を支持している状態で固着具を操作できるので、軒板があっても軒樋部材の取付け角度を変更できるし、取り外し、取付けできる。
【０００９】
本発明においては、ベース部材の上支持部よりも上方位置に止水部材を設け、この止水部材は、上支持部と上取付部の嵌まり合い部分を覆うと共に、軒樋部材まで垂下して屋根から流れ落ちた雨水等が当該止水部材に沿って軒樋部材の雨水受け部まで流れるようにできる。
このようにすれば、屋根から流れ落ちた雨水等が上支持部と上取付部の嵌まり合い部分に流れ込むことがなく、止水部材に沿って全量が確実に雨水受け部まで流れる。
【００１０】
本発明においては、屋根は、屋根下地に屋根材を取付けたものとし、
この屋根下地の軒先部にベース部材を取付けて、屋根下地の軒先部をベース部材で覆うようにできる。
このようにすれば、屋根下地の軒先が見栄えの悪いものであってもベース部材で覆われて見えないので、見栄えを良いものにできる。
【発明の効果】
【００１１】
本発明によれば、軒樋部材をベース部材に対して上下方向に回転できるので、屋根勾配の違いに対応できる。
また、ベース部材と軒樋部材により雨樋としたので、構成部品点数が少なく、コスト安である。
しかも、屋根の軒先がベース部材又は軒樋部材で覆われて見えないので、屋根の軒先を覆う特別な部材を設けることなしに屋根の軒先部分の見栄えを良くできる。
【００１２】
さらに、ベース部材を取付けた状態で軒樋部材を取り外したり、取付けできるので、軒樋部材を簡単に交換できる。
【発明を実施するための最良の形態】
【００１３】
図１と図２に示すように、屋根１は傾斜屋根で勾配（屋根勾配）を有する。
この屋根１の軒先１ａには雨樋２が取付けてあり、雨樋付き屋根を構成している。
この屋根１は切妻の形であるが、これに限ることはなく、片流れ、寄せむね、いりもや、方形などの任意の形の屋根であっても良い。
なお、図１、図２は屋根１と雨樋２を概略的に図示して雨樋付き屋根の全体を理解し易いようにしてあり、後述する具体形状と、形状、大きさ等が相違することがある。
【００１４】
次に、屋根１と雨樋２の詳細を説明する。
図３に示すように、屋根１は屋根下地１０と、この屋根下地１０の上に取付けた屋根材１１を備えている。
前記屋根下地１０は屋根パネルとしてあるが、もやとたる木と野地板より成る木製の屋根下地１０でも良いし、鉄骨を用いた屋根下地１０や、他の形状の屋根下地でも良い。
前記屋根材１１は、屋根かわら、波形鉄板などが用いられる。
図３に示す実施の形態では、屋根下地１０の下方に軒板１２が設けてある。この軒板１２は図２に示す建物３の外壁３ａに取付けられ、屋根下地１０の外壁３ａからの突出部分を覆っている。
この軒板１２は水平である。
【００１５】
前記雨樋２はベース部材２０と軒樋部材３０を備えている。
前記ベース部材２０は屋根１の屋根下地１０の軒先部（つまり、屋根１の軒先１ａ）の長手方向全長に連続して取付けられ、その屋根下地１０の軒先部の長手方向全長をベース部材２０で覆って見えないようにする。
前記軒樋部材３０は、前記ベース部材２０の長手方向全長に亘って上下方向に回動可能に取付けてある。
【００１６】
このようであるから、屋根１の屋根勾配が異なる場合には、その屋根勾配に応じて軒樋部材３０を上下方向に回動することで、その軒樋部材３０を常に同一の姿勢、例えば水平姿勢として取付けできる。
【００１７】
また、屋根下地１０の軒先部の長手方向全長がベース部材２０で覆われ、屋根を見た時に屋根下地１０の軒先部が見えないで、ベース部材２０、軒樋部材３０（つまり、雨樋２）が見えるから、屋根下地１０の軒先部に特別な部材を設けることなしに軒先部分の見栄えが良いものにできる。
つまり、前述した従来の雨樋付き屋根のように屋根下地１０の軒先部が見えると見栄えが悪いので、その場合には屋根下地の軒先部に外観意匠の優れた軒先構成部材を取付けて軒先部分の見栄えが良いものとしなければならない。
【００１８】
前記ベース部材２０は、その上部と下部に、軒樋部材３０を支持する上支持部２１と下支持部２２を有し、その上支持部２１よりも上方位置に止水部材２３が設けてあり、この止水部材２３は上支持部２１よりも下方に垂下している。
前記軒樋部材３０は、その上部と下部に上取付部３１と下取付部３２を有している。
前記上支持部２１と上取付部３１は上下方向に回転可能に連結すると共に、着脱自在である。
例えば、図４に示すように、前記上支持部２１は開口部２１ａを有する断面ほぼ半円形の凹陥形状である。
前記上取付部３１は、板状部３１ａの先端部に外周面がほぼ半円形の嵌合部３１ｂを長手方向に連続して一体的に設けた形状で、その嵌合部３１ｂが凹陥形状の上支持部２１に回転自在に嵌合している。
【００１９】
そして、軒樋部材３０を図４に仮想線で示す位置まで回転して嵌合部３１ｂの一端部を上支持部２１の開口部２１ａに位置させることで、軒樋部材３０を図４に矢印ａで示す方向に移動することで、嵌合部３１ｂが上支持部２１の開口部２１ａから抜け出すので、軒樋部材３０をベース部材２０から取り外しできる。
また、前述と反対の動作をすることで軒樋部材３０をベース部材２０に取付けできる。
このようであるから、ベース部材２０を取付けた状態で軒樋部材３０を交換することができ、雨樋２の保守作業が容易である。
【００２０】
前記上支持部２１と上取付部３１は、上支持部２１が嵌合部を有し、上取付部３１が凹陥形状としても良い。つまり、前述とは反対形状としても良い。
要するに、上支持部２１と上取付部３１は、相互に上下方向に回転自在に嵌合して連結されると共に、ベース部材２０に対して軒樋部材３０を所定の位置まで回転すると着脱自在である形状である。
【００２１】
前記止水部材２３はベース部材２０と同一長さの長尺で、この止水部材２３は図４に示すように、ベース部材２０の上支持部２１よりも上方位置に形成した凹条溝２４に装着して取付けてあり、この止水部材２３は軒樋部材３０の上部に接し、屋根１から流れた雨水等を雨水受け部３３まで流し、上支持部２１と上取付部３１の嵌合部分に雨水等が浸入しないようにしてある。
これによって、屋根１から流れた雨水等を確実に軒樋部材３０で集水することができ、軒先から落下することがない。
【００２２】
前記下支持部２２は、前記上支持部２１の中心を中心とした円弧面２５を有し、この円弧面２５には複数の突片２６と複数の溝２７が形成してある。
前記下取付部３２は前記上取付部３１の中心を中心とする円弧形状で、孔３４と突片３５を有している。
その突片３５をいずれかの突片２６に接することで孔３４がいずれかの溝２７と対向し、その孔３４から固着具、例えばビス（テクスビス）３６を溝２７をガイドとして下支持部２２に螺合して下取付部３２を下支持部２２に固着する。
【００２３】
前記軒樋部材３０は軒板支持部３７を備え、この軒板支持部３７で前記軒板１２を水平に支持している。例えば、軒板支持部３７に軒板１２を載置している。
この軒板支持部３７は前記ビス３６よりも屋根寄りに位置し、軒板１２を支持している状態でビス３６を締め付け、弛め操作できるようにしてある。
【００２４】
前記ベース部材２０は屋根取付部２８を有する。この屋根取付部２８は縦板２８ａと上横片２８ｂと下横片２８ｃでコ字形状で、その上横片２８ｂを屋根下地１０の上面１０ａに固着すると共に、下横片２８ｃを屋根下地１０の下面１０ｂに固着して縦板２８ａを屋根下地１０の軒先面（縦面）１０ｃに接して取付けられる。
要するに、ベース部材２０は屋根下地１０の軒先部に嵌め込むようにして取付けられる。
【００２５】
前述した図３に示す軒樋部材３０は、その下面３０ａ、例えば下横板３８が屋根１の軒先よりも下方で、かつ建物の外壁寄りに位置し、この軒樋部材３０が屋根１の軒先を覆うようにしてある。
このようであるから、前記ベース部材２０を屋根下地１０の長手方向一部に取付けて屋根下地１０の長手方向全長をベース部材２０で覆わなくとも軒樋部材３０が屋根下地１０の長手方向全長を覆うので、屋根１の軒先部分の見栄えを良くできる
。
つまり、ベース部材２０又は軒樋部材３０で屋根１の軒先を覆うようにすれば良い。
【００２６】
図３においては、軒樋部材３０の下取付部３２は下横板３８よりも上方に位置し、ビス３６を締め付け、弛め操作しづらいので、下横板３８に不連続部３８ａを形成してビス３６を締め付け、弛めし易くしてあると共に、その不連続部３８ａをキャップ３９で閉塞して見栄え良くしている。
【図面の簡単な説明】
【００２７】
【図１】屋根の概略正面図である。
【図２】屋根の概略側面図である。
【図３】図１のＡ−Ａ拡大詳細断面図である。
【図４】図３のＢ部拡大図である。
【符号の説明】
【００２８】
１…屋根、１ａ…軒先、２…雨樋、１０…屋根下地、１１…屋根材、１２…軒板、２０…ベース部材、２１…上支持部、２２…下支持部、２３…止水部材、３０…軒樋部材、３１…上取付部、３２…下取付部、３３…雨水受け部、３４…ビス、３７…軒板支持部。
【図１】
2008138373.tif 000003
【図２】
2008138373.tif 000004
【図３】
2008138373.tif 000005
【図４】
2008138373.tif 000006